(57)【要約】      （修正有）【課題】記憶媒体の挿入口に滴下した液体を、挿入口の外へ速やかに排出する。【解決手段】記憶媒体１３の駆動装置４を収納した筐体３と、筐体３の前部に設置され記憶媒体１３の挿入口５が設けられた化粧パネル２と、記憶媒体１３が挿通可能な挿入口を設けた防塵部材７とを有するドライブ装置において、防塵部材７が挿入口５の背面で且つ駆動装置４と対向する部位に取付けられ、挿入口５の凹部内周下側の表面である内周下面５ｂで且つ防塵部材７の表面（下）の前方となる部位に貫通穴である排水穴を設け、その出口が化粧パネル２の裏面２ｂとなる構成とした。この構成により挿入口５の内周面に滴下した雨滴などの液体が裏面２ｂの側に排出され、挿入口５の内周面に不要な液体が残留することがない。【選択図】図２
2009015980.tif 000002
【特許請求の範囲】
【請求項１】
記憶媒体の駆動機構を収納した筐体と、前記筐体の前部に取付けられ前記記憶媒体の挿入口を設けた化粧パネルと、前記記憶媒体が挿通可能な挿入口が設けられた可撓性の防塵部材とを備えたドライブ装置において、
前記防塵部材は前記挿入口の背面で且つ前記駆動機構と対向する部位に取付けられており、
前記挿入口の内周面の下側の表面上で且つ前記防塵部材の表側となる部位には、前記内周面に滴下した液体を排水するための排水穴を設けたことを特徴とするドライブ装置。
【請求項２】
前記排水穴の周縁が、前記防塵部材の表側と当接する位置であることを特徴とする請求項１記載のドライブ装置。
【請求項３】
前記化粧パネルの裏面側であり且つ前記排水穴の直下には、当該排水穴から排出された液体を受け、その液体を更に前記筐体内の所定の位置へ運ぶ案内路が形成されていることを特徴とする請求項１または２記載のドライブ装置。
【請求項４】
前記化粧パネルの裏面側には、光源が実装された電気回路基板が設置されており、前記案内路の前記排水穴の出口直下の形状が、前記光源の光を前記排水穴を通じ前記化粧パネルの表面側に出射するように反射させる形状に屈曲形成されていることを特徴とする請求項３記載のドライブ装置。
【請求項５】
前記挿入口の内周面の下側の表面上で且つ前記防塵部材の表側となる部位に、当該内周面の前記排水穴の入口から離れた部位に滴下した液体を、前記排水穴の入口に向かって案内する凹状の案内溝が形成されていることを特徴とする請求項１ないし４のいずれかに記載のドライブ装置。
【請求項６】
前記化粧パネルの底部に、前記排水穴の出口から排出された液体を、再び筐体の外部へ排出するための排出穴が設けられていることを特徴とする請求項１ないし５のいずれかに記載のドライブ装置。
【請求項７】
前記液体が、雨滴や飲料などの液状物であることを特徴とする請求項１ないし６のいずれかに記載のドライブ装置。
【請求項８】
前記記憶媒体が、ＣＤやＤＶＤ、クレジットカードなどの情報記録メディアであることを特徴とする請求項１ないし７のいずれかに記載のドライブ装置。
【発明の詳細な説明】
【技術分野】
【０００１】
本発明は、ＣＤやＤＶＤ、クレジットカードなどの記憶媒体に記録された情報を再生または新たに情報を記録する駆動機構を持つドライブ装置に関する。
【背景技術】
【０００２】
ＣＤやＤＶＤ（デジタル・バーサタイル・ディスク）等のディスク型メディアやクレジットカード等のカード型メディアを記憶媒体とし、筐体の内部に設置された駆動装置（記録情報読取装置）にて情報の記録および再生を行うドライブ装置がある（例えば、特許文献１参照）。
【０００３】
このようなドライブ装置のなかで、特に車載用のオーディオ装置あるいはナビゲーション装置として使用されるものは、例えば図１１に示すように構成されている。この図１１は、従来のドライブ装置１００を、車両のインパネ１４０に装着した状態を示す側断面図である。なお、ドライブ装置１００は斜面に造形されたインパネ１４０の表面１４０ａに装着されることから、水平方向に対しθ度傾いて装着されている。
【０００４】
図１１において従来のドライブ装置１００は、内部に記憶媒体１３０の駆動装置４００が設けられた板金製の箱体である筐体３００と、その前方に装着されたプラスチック樹脂製の化粧パネル２００にて構成されている。この化粧パネル２００には、記憶媒体１３０の挿入口５００が設けられており、当該挿入口５００と駆動装置４００との間には、記憶媒体１３０が挿通可能なスリット状の挿入口が設けられた不織布等からなる可撓性の防塵部材７００が当該挿入口５００の内側へ密設されている。
【０００５】
この構成において、記憶媒体１３０は、挿入口５００から挿入された後駆動装置４００に載置される。このとき、記憶媒体１３０の表面、特に情報の記録面１３０ｂは、表面に付着した埃や汚れなどの異物が防塵部材７００によって拭き取られることで、駆動装置４００内への異物の進入を防ぐ構造となっている。
【特許文献１】実登第２５１９１４４号公報
【発明の開示】
【発明が解決しようとする課題】
【０００６】
しかしながら、昨今インパネ１４０の形状については、図１１にも示すように挿入口５００の進入角度が水平方向に対し大きく傾斜した状態（θ度）でデザインされたものも多く、その結果挿入口５００の内壁である内周面５００ａにおいて下側の面となる内周下面５００ｂと、防塵部材７００の表面７００cとを底部とする、破線で示す略逆三角形状の凹部８００が形成され、例えば車両が屋根の無い形態（オープンカー）であった場合には、雨天時において滴下した雨滴などの不要な液体がその凹部８００に溜まり、蒸発もせず長い時間残留したままになっていた。
【０００７】
そのため、記憶媒体１３０を挿入口５００へ挿入する際に、情報の記録面１３０ｂに、その溜まっていた液体が付着し、防塵部材７００によって当該液体が完全に拭き取られず情報の記録面１３０ｂが濡れた状態のまま駆動装置４００に載置され、情報の読み取りが充分に出来ない新たな課題が発生した。
【発明の効果】
【０００８】
本発明はこのような従来の課題を解決するものであり、記憶媒体の挿入口の内周面に滴下した雨滴などの液体を速やかに排出する排水構造を備えた化粧パネルを有するドライブ装置の提供を目的とする。
【課題を解決するための手段】
【０００９】
本発明に係るドライブ装置は、記憶媒体の駆動機構を収納した筐体と、前記筐体の前部に取付けられ前記記憶媒体の挿入口を設けた化粧パネルと、前記記憶媒体が挿通可能な挿入口が設けられた可撓性の防塵部材とを備えたドライブ装置において、前記防塵部材は前記挿入口の背面で且つ前記駆動機構と対向する部位に取付けられており、前記挿入口の内周面の下側の表面上で且つ前記防塵部材の表側となる部位には、前記内周面に滴下した液体を排水するための排水穴が設けられている。
【００１０】
したがって、挿入口の入口側である内周面で且つ防塵部材の手前側となる部位に液体が滴下しても、その液体が排水穴を通じ化粧パネルの裏面側に排出されることから、挿入口の内周面に液体が残留することがない。
【００１１】
また、本発明に係るドライブ装置は、前記排水穴の周縁が、前記防塵部材の表側と当接する位置であっても良い。
【００１２】
このように排水穴の入口を防塵部材と当接する位置まで接近させることで、防塵部材の表側にある液体を、挿入口の内周面の側に残すことなく漏れなく化粧パネルの裏面側へ排出することが可能となる。
【００１３】
また、本発明に係るドライブ装置は、前記化粧パネルの裏面側であり且つ前記排水穴の直下には、当該排水穴から排出された液体を受け、その液体を更に前記筐体内の所定の位置へ運ぶ案内路が形成されていても良い。
【００１４】
このような案内路を設けることで、化粧パネルの裏面側に排出された液体を、化粧パネルの裏面側から遠く離れた、筐体内の所定の位置へ移動させた上で筐体の外部へ排出することができる。
【００１５】
また、本発明に係るドライブ装置は、前記化粧パネルの裏面側には、光源が実装された電気回路基板が設置されており、前記案内路の前記排水穴の出口直下の形状が、前記光源の光を前記排水穴を通じ前記化粧パネルの表面側に出射するように反射させる形状に屈曲形成されていてもよい。
【００１６】
この構成とすれば、排水穴と案内路を、排水を目的とするだけに留まらず、記憶媒体挿入時における案内光（インジゲータ）としても使用できる。
【００１７】
また、本発明に係るドライブ装置は、前記挿入口の内周面の下側の表面上で且つ前記防塵部材の表側となる部位に、前記排水穴の入口から離れた部位に滴下した液体を、当該入口に向かって案内する凹状の案内溝が形成されていてもよい。
【００１８】
この構成とすれば、記憶媒体の横幅が大きく挿入口の形状が横長の幅広い形状となっても、挿入口の内周面において排水穴の入口から離れた部位に滴下した液体を、当該排水穴へ向け効率よく案内、移動させて収集することができる。
【００１９】
また、本発明に係るドライブ装置は、前記化粧パネルの底部に、前記排水穴の出口から排出された液体を、再び筐体の外部へ排出するための排出穴が設けられていてもよい。
【００２０】
この構成とすれば、筐体の内部に液体が残留することなく速やかに排出することができる。
【００２１】
また、本発明に係るドライブ装置における液体とは、具体的には雨滴あるいは飲料などからなる液状物であり、記憶媒体とはＣＤやＤＶＤならびにミニディスク、クレジットカードなどの情報記録メディアである。
【発明を実施するための最良の形態】
【００２２】
次に本発明の実施の形態における構成について、図面を用いて具体的に説明する。図１は、本実施の形態におけるドライブ装置の前部を示す斜視図、図２はこのドライブ装置を車両に装着した状態で断面したＡ−Ａ断面（側断面）図である。
【００２３】
このドライブ装置は車載用のオーディオ装置であり、主にＣＤやＤＶＤなどのディスクメディアからなる記憶媒体に音声データや音楽データ、地図データなどの情報を記録または再生する装置である。
【００２４】
図１に示すドライブ装置１の主な構成は、筐体３の前部に化粧パネル２を備え、筐体３の内部には、図中破線で示すように記憶媒体１３の駆動装置４が内蔵されている。この筐体３は、主に１ＤＩＮや２ＤＩＮと呼ばれる車載規格の外形サイズとなる箱型に形成されており、亜鉛メッキ鋼板などの薄厚の金属板にてプレス成型されたものである。
【００２５】
化粧パネル２はＡＢＳ（アクリルニトリルブタジエンスチレン）等のプラスチック樹脂によって、筐体３の外形サイズに合わせ同じく１ＤＩＮまたは２ＤＩＮの箱型に形成されたものであり、表面２ａには詳細を後述する挿入口５が設けられており、内蔵する駆動装置４に対し記憶媒体１３を挿入または排出可能な構成となっている。
【００２６】
挿入口５には、具体的な取付構造を後述する、不織布などの可撓性素材からなる防塵部材７が設置されており、筐体３の内部への埃や水の浸入を防ぐ構造となっている。この防塵部材７には、記憶媒体１３を挿通可能とする挿入口７ａが挿入口５と略並行に設けられている。
【００２７】
なお、この挿入口７ａは、防塵部材７に対し正面視で左右方向へ延びるスリット状の長穴に形成されることが多い。ただし、スリット加工により分断された防塵部材７の上下のいずれか一方の先端部を、他方の前方に若干量オーバーラップさせ内外方向で重ねるようにして当該挿入口７ａを覆い隠すことで、より砂塵の進入を防ぐ構成としても良い。
【００２８】
次に、筐体３を構成する部品の組立について説明する。図２は、ドライブ装置１を図１のＡ−Ａの部位にて断面した側断面図である。この図２に示されるように、筐体３は略空洞の箱体であり、その底面３ｂには駆動装置４を支持する真鍮などの金属軸を切削形成した複数の支持軸３ｃおよび３ｄがカシメ加工にて固定されている。
【００２９】
駆動装置４は、シャーシ４ａの中に記憶媒体１３を載置するターンテーブル４ｂ、そのターンテーブル４ｂを回転させるモータ４ｃおよびモータ４ｃの回転を制御するメカ駆動基板４ｄにより構成されており、挿入口５に対向するシャーシ４ａの前方の部位には、記憶媒体１３を挿入排出する記憶媒体挿入口４ｅが設けられている。そして、支持軸３ｃおよび３ｄへネジ（図示せず）により取付固定され、筐体３の内部に設置されている。
【００３０】
次に、化粧パネル２の構造について説明する。この化粧パネル２は、略一定の薄肉で成型された内部が略空洞となる箱体であり、表面２ａには、内周面５ａにて構成された凹部が筐体３の内方に向け形成され、その凹部の奥側には、左右方向への長穴である挿入口５が設けられている。また、詳細を後述するイジェクト釦１１を挿通させるイジェクト釦取付穴２ｄが設けられ、裏面２ｂには、これも詳細を後述する電気回路基板９を設置するための回路基板取付ボス２ｆが一体成形で立設された構造となっている。
【００３１】
図２において挿入口５の周辺を囲むＣ部を拡大した図３に記載のように、この挿入口５の凹んだ部位、すなわち内周面５ａのうち特に下側の面となる内周下面５ｂの表面には、化粧パネル２の内外を貫通する丸穴からなる排水穴６ａが設けられている。なお、この排水穴については、図１に示すように内周下面５ｂの表面に、互いに離れて複数（排水穴６ａ、６ｂ）設けられていても良い。
【００３２】
次に、この化粧パネル２を構成する部品の組立について説明する。図３に示すように、化粧パネル２の裏面であって挿入口５の背面となる部位には固定板取付ボス２ｅが一体で立設されている。この固定板取付ボス２ｅには、前述の防塵部材７がＡＢＳなどのプラスチック樹脂により成型された防塵部材固定板（上）５ｇおよび防塵部材固定板（下）５ｈによって化粧パネル２の裏面２ｂの側へネジ５ｉ、５ｊを介して圧着固定されている。
【００３３】
したがって防塵部材７の表側と挿入口５の裏面側である固定部５ｃおよび５ｄとは、隙間無く完全に密着した状態となっている。なお、図３に示される防塵部材７は、挿入口７ａにて分割された先端どうしである先端部（上）７ｄと先端部（下）７ｅとが、互いに向かい合って形成されている。ただし、この先端部（上）７ｄと先端部（下）７ｅのそれぞれを延長し、例えば挿入口５の内外方向において防塵部材７の表面（下）７ｃを表面（上）７ｂの外側として重なり合う構成としても良く、このようにすることで挿入口７ａが完全に隠れることからより確実な防塵効果を得ることができる。
【００３４】
図２に示すように、電気回路基板９の表面にはプッシュスイッチである電気スイッチ９ａが実装されている。この電気スイッチ９ａは、化粧パネル２のイジェクト釦取付穴２ｄへ内外方向に押込み可能に装着されたイジェクト釦１１を筐体３の側（内方）へ押込むことにより作動する。なお、電気回路基板９と駆動装置４のメカ駆動基板４ｄとは、屈曲自在なフレキシブル基板１５によって接続され、当該イジェクト釦１１の操作により記憶媒体１３の排出を可能としている。
【００３５】
なお、このドライブ装置１は、図１０に示すように車両のインパネ１４に装着して使用されるものである。このインパネ１４における化粧面、すなわちドライブ装置取付面１４ａが車両に対し傾斜した面となっていることから、ドライブ装置１は水平よりもα度（例えば３０度程度）傾いた状態で設置されている。また、この図における車両の形態は屋根のない所謂オープンカーである。
【００３６】
次に本発明の実施の形態に係るドライブ装置１の動作について説明する。
【００３７】
図３に示すように、記憶媒体１３を挿入口５へ挿入するとき、当該記憶媒体１３の表面（上）１３ａ、表面（下）１３ｂは防塵部材７の挿入口７ａを通過することで、表面（上）７ｂおよび表面（下）７ｃによって表面の汚れや埃が拭き取られた状態で駆動装置４の内部に引込まれる。
【００３８】
前述の通り、ドライブ装置１は水平よりもα度傾いた状態で設置されている。したがって、挿入口５には内周下面５ｂと表面（下）７ｃを底部とした凹部が存在する。この状態で例えば悪天候の際に雨滴などの液体が挿入口５の当該凹部に滴下しても、本発明の構成によれば、当該液体は内周下面５ｂに設けられた排水穴６ａ（６ｂ）を通過して矢印Ｄの方向、すなわち化粧パネル２の裏面２ｂの側へ速やかに排出される。したがって当該凹部には破線で示す水面１２ａのように不要な液体が残留する問題が発生しない。
【００３９】
そのため図３に示すように、記憶媒体１３を挿入口５へ挿入する場合において、当該記憶媒体１３が挿入口７ａを通過するときに、信号記録面となる表面（下）１３ｂが水濡れする問題が発生せず、防塵部材７の表面（上）７ｂおよび表面（下）７ｃによって汚れや埃が充分に拭き取られた状態で駆動装置４の内部に載置され、記録情報の読み取りに支障をきたす事がない。
【００４０】
なお、この排水穴６ａおよび６ｂの穴形状については、図１に示すような丸穴形状以外にも、例えば四角や六角などの角穴形状であっても良い。ただし、いずれの穴形状においても、穴の内壁面の表面状態については、毛細管現象を助長させる目的から、できる限り平滑な光沢面であることが好ましい。
【００４１】
次に本発明における他の実施の形態を示す。なお、以後に示す他の実施の形態において、前述の第１の実施例と同じ名称および同じ記号で示すものは同一の機能を有するものとして詳細な説明を省略する。
【００４２】
まず、本願発明の第２の実施の形態について説明する。図４は、図２に示す部分拡大図Ｃに係る第２の実施例を示すものである。この図４において排水穴２０は、その丸穴の周縁２０ａを防塵部材７の表側、具体的には表面（下）７ｃの側と一部当接した位置に設けられている。したがって、滴下した雨滴などの液体が排水穴２０と表面（下）７ｃとの間の部位に溜まることが無く、漏れなく排水穴２０を通過して矢印Ｅの方向、すなわち化粧パネル２の裏面２ｂの側へ速やかに排出されることから、内周下面５ｂ上に不要な液体がより残留しにくい構造とすることができる。
【００４３】
次に、本願発明の第３の実施の形態について説明する。図５は、図２に示す部分拡大図Ｃに係る第３の実施例を示すものであり、図６は図５において化粧パネル２をＨ−Ｈの部位にて断面し裏側から見た図である。この図５において防塵部材固定板３０は、その下端部３０ａの部位が逆Ｌ字状に形成されており、その先端部３０ｂが、化粧パネル２の裏面２ｂへ当接し隙間無く密着した状態となっている。
【００４４】
また、図６に示すように、下端部３０ａの一方は少なくとも排水穴６ａの出口の直下５ｅに対向する部位に配置され、他方となる末端部８ａは化粧パネル２の左方向に向け角度βにて示すような、水平よりも僅かに下方へ傾斜して延長された形状となっている。
【００４５】
そのため、排水穴６ａから化粧パネル２の裏面２ｂの側へ排出された液体が、排水穴６ａの下方で周囲に飛び散ることがない。また、例えば化粧パネル２の底面に、排水口２ｃを設けることにより、当該液体を排水口２ｃの部位へ移動させた後、、矢印Ｆで示すようにドライブ装置１の外方へ速やかに排出することも可能である。なお、排水穴６ｂの側の構成については、排水穴６ａ側の対称形状であることから図示および説明を省略する。
【００４６】
次に、本願発明の第４の実施の形態について説明する。図７は、図２に示す部分拡大図Ｃに係る第４の実施例を示すものであり、図８は図７において化粧パネル２をＪ−Ｊの部位にて断面し裏側から見た図である。この図７において防塵部材固定板４０は、その下端部４０ａが逆Ｌ字状に形成されて、且つその先端部４０ｂが化粧パネル２の裏面２ｂへ当接し隙間無く密着した状態となっている。
【００４７】
また、裏面２ｂに立設された複数の回路基板取付ボス２ｆには電気回路基板９がネジ５ｋおよび５ｍによって固定された構成となっている。この電気回路基板９の表面にはＬＥＤやランプ（電球）などの光源１０が実装されており、防塵部材固定板４０の下端部４０ａによって囲われた構成となっている。なお図８に示すように、この下端部４０ａは、排水穴６ａの出口の直下の形状が、角部４２で示すような水平方向に対しおよそγ＝４５°の角度で屈曲した形状となっている。
【００４８】
この構成において、光源１０の光は角部４２へ反射することで図中矢印Ｇで示すように屈折し、排水穴６ａを通過して挿入口５の外側に向け出射される。そのため、挿入口５を体裁側である表面２ａの側から見ると、内周下面５ｂにおいて排水穴６ａが発光し、記憶媒体１３を挿入する際のインジゲーター（案内光）の効果を得ることができる。なお、排水穴６ｂの側の構成については、排水穴６ａ側の対称形状であることから図示および説明を省略する。
【００４９】
次に、本願発明の第５の実施の形態について説明する。第５の実施例を示す図９は、挿入口５の内周下面５ｂの表面形状の変形例を示すものである。図９において、内周下面５ｂの表面には、排水穴６ａに向かって下降する複数の傾斜面からなる凹状の案内路５ｎが形成されている。
【００５０】
この案内路５ｎにより、挿入口５に滴下した液体が、排水穴６ａよりも離れた部位に滴下した場合でも、この案内路５ｎによって当該液体をより効率よく排水穴６ａへ運ぶことが可能となる。なお、排水穴６ｂの側の構成については、排水穴６ａ側の対称形状であることから図示および説明を省略する。
【産業上の利用可能性】
【００５１】
本発明に係るドライブ装置は、記憶媒体の挿入口で防塵部材の手前側となる凹んだ部位に雨滴などの液体が滴下した場合でも速やかに排水することができ、挿入する記憶媒体の表面を当該液体によって濡らすことが無い効果を有する。特に雨の影響を考慮すべきオープンカーに装着されるオーディオ装置やナビゲーション装置にて使用されるＣＤやＤＶＤなどのディスク、あるいはクレジットカードなどの記憶媒体の挿入口の構造として有用である。
【図面の簡単な説明】
【００５２】
【図１】本実施例におけるオーディオ装置を示す斜視図である。
【図２】図１のオーディオ装置を車両へ装着した状態でＡ−Ａで断面した側断面図である。
【図３】図２のＣ部拡大図である。
【図４】図２のＣ部拡大図について、第２の実施例を示す側断面図。
【図５】図２のＣ部拡大図について、第３の実施例を示す側断面図。
【図６】図５をＨ−Ｈにて断面した裏面図である。
【図７】図２のＣ部拡大図において、第４の実施例を示す側断面図。
【図８】図７をＪ−Ｊにて断面した裏面図である。
【図９】第５の実施例における、挿入口形状を示す斜視図である。
【図１０】オーディオ装置を車両へ設置した状態を示す部分側断面図である。
【図１１】従来の実施例における、オーディオ装置を車両へ設置した状態を示す部分側断面図である。
【符号の説明】
【００５３】
１                ドライブ装置 
２                化粧パネル
２ｂ              裏面
３                筐体
４                駆動装置
５                挿入口
５ａ              内周面
５ｂ              内周下面
６ａ、６ｂ        排水穴
７                防塵部材
７ａ              挿入口
７ｃ              表面（下）７ｃ
９                電気回路基板
９ａ              電気スイッチ
１０              光源
１１              イジェクト釦
１２              雨滴溜まり
１３              記憶媒体
１４              インパネ
【図１】
2009015980.tif 000003
【図２】
2009015980.tif 000004
【図３】
2009015980.tif 000005
【図４】
2009015980.tif 000006
【図５】
2009015980.tif 000007
【図６】
2009015980.tif 000008
【図７】
2009015980.tif 000009
【図８】
2009015980.tif 000010
【図９】
2009015980.tif 000011
【図１０】
2009015980.tif 000012
【図１１】
2009015980.tif 000013